(57)【要約】      （修正有）【課題】栗の樹木の根元における雑草の繁茂を防止し、栗植設地における雑草の除草作業を容易にする透水性除草シートを提供する。【解決手段】栗の樹木の根元には透水性除草シート１００が苗木の時に嵌り込まれ、透水性除草シート１００は根元の部分の土壌５を覆って配置される。よって、この透水性除草シート１００の敷設されている部分には雑草６が繁茂しない。よって、除草作業はそれ以外の場所のみでよく効率的な除草作業を行うことが出来る。【選択図】図３
0003181872.tif 000002
【実用新案登録請求の範囲】
【請求項１】
栗の樹木の根元の土壌と接する位置に敷設される除草シートであって、該除草シートは、透水性で除草性のある材質からなる薄厚の平板状のシート材のほぼ中央に成長した前記樹木の根元の直径にほぼ等しい大きな貫通孔を形成すると共に前記貫通孔と前記シート材の１つの端縁との間にスリット部を形成するものからなることを特徴とする透水性除草シート。
【請求項２】
前記栗の樹木が所定間隔で複数本植設される栗植設地において前記シート材は、その大きさが前記間隔よりも小寸のものからなることを特徴とする請求項１に記載の透水性除草シート。
【請求項３】
前記間隔が３ｍ乃至４ｍの場合において、前記シート材は７５ｃｍ×７５ｃｍ乃至１００ｃｍ×１００ｃｍの大きさのものからなることを特徴とする請求項３に記載の透水性除草シート。
【考案の詳細な説明】
【技術分野】
【０００１】  本考案は、栗の樹木を複数本植設してなる栗植設地に繁茂する雑草の除草作業を簡単に、かつ短時間に実施可能とするために使用され、かつ安価に形成される透水性除草シートに関する。
【背景技術】
【０００２】  雑草の繁茂を防止する手段として除草シートが従来より使用されている。この除草シートを土壌に敷設することによりその除草シートの下面側の雑草の繁茂が防止される。従って、雑草の繁茂防止としては土壌に除草シートを敷設する手段が広く採用されている。この除草シートとしては各種のものがあり、公知技術として知られており、例えば「特許文献１」の如きものが一例として挙げられる。また、植設した樹木の回りの雑草の繁茂を防止する公知技術とは「特許文献２」が一例として挙げられる。
【先行技術文献】
【特許文献】
【０００３】
【特許文献１】特開２００２−２８１８３８号（図１）
【特許文献２】特開２００５−１７６７５４号
【考案の概要】
【考案が解決しようとする課題】
【０００４】  「特許文献１」の「特開２００２−２８１８３８号」の「地表被覆除草シート」は後に説明する本考案と近似する内容のものではあるが、その目的としては樹木に好影響を与えると共に長時間使用出来る耐久性保持を可能とするものを提供するものであり、本考案と目的において相異すると共に構造が大きく相違するものである。
また、「特許文献２」の「特開２００５−１７６７５４号」の「除草シート」は、樹木回りの雑草の繁茂を防止する材質に特徴を有するものであり、生分解性樹脂材からなる除草シートを開示するものである。このものも本考案とは目的及び構成において大きく相違するものである。
なお、本考案の出願人の調査によると本考案と同一又は類似する目的や構成を有する公知技術は見当らない。【０００５】  複数本の栗の樹木を植設する栗植設地において雑草の除去は大きな問題であり、このために要する時間は馬鹿にならない。従来ではこの雑草除去作業は余り活発には行われておらず、このために害虫等が栗に付着し易く大きな問題点となっていた。また、現在では栗作業は年寄りが従事しており、若者は少なく、そのため雑草除去についても十分に行われない問題点があった。一方、雑草の除去としては最近では優れた芝刈機的のものがあり、電気的に除草することが出来るが、この芝刈機でも栗の樹木の根元回りの雑草除去には手間と技術が必要であり、最も必要とする樹木の根元の除草作業が十分に、かつ効率的に行われない問題点があった。【０００６】  本考案は、以上の事情に鑑みて考案されたものであり、栗植設地における雑草除去が容易に行われ、かつ樹木の根元の雑草除去が不必要となり、全体として雑草除去が効率的に、かつ確実に行うことに役立つ透水性除草シートを提供することを目的とする。
【課題を解決するための手段】
【０００７】  本考案は、以上の目的を達成するために、請求項１の考案は、栗の樹木の根元の土壌と接する位置に敷設される除草シートであって、該除草シートは、透水性で除草性のある材質からなる薄厚の平板状のシート材のほぼ中央に前記樹木の成長時における根元の直径にほぼ等しい大きな貫通孔を形成すると共に前記貫通孔と前記シート材の１つの端縁との間にスリット部を形成するものからなることを特徴とする。【０００８】  また、請求項２の考案は、前記栗の樹木が所定間隔で複数本植設される栗植設地において、前記シート材は、その大きさが前記間隔よりも小寸のものからなることを特徴とする。【０００９】  また、請求項３の考案は、前記間隔が３ｍ乃至４ｍの場合において、前記シート材は７５ｃｍ×７５ｃｍ乃至１００ｃｍ×１００ｃｍの大きさのものからなることを特徴とする。
【考案の効果】
【００１０】  本考案の請求項１の透水性除草シートによれば、栗の樹木の根元にこの根元を囲んで土壌上にシート材が敷設され、かつこのシート材の敷設が容易に出来るため根元の部分には雑草が繁茂しない。よって面倒な樹木の根元の雑草除去作業が必要でなくなる。【００１１】  また、請求項２の透水性除草シートによれば、複数本の栗の樹木が所定間隔で植設されている場合には栗の樹木の根元以外の場所の雑草の除草作業は比較的容易に行われるため、植設地全体をシート材で敷設する必要はなく除草費用の低減を図ることが出来、シート材も安価で済む。【００１２】  また、請求項３の透水性除草シートによれば、シート材は樹木の植設間隔に較べてかなり小さいものでよく、安価に実施出来る効果を上げることが出来る。
【図面の簡単な説明】
【００１３】
【図１】本考案の透水性除草シートの平面図（ａ）及び（ａ）のＡ−Ａ線断面図（ｂ）。
【図２】本考案の透水性除草シートの敷設状態を示す模式的正面図。
【図３】本考案の透水性除草シートの敷設状態を示す模式的正面図。
【図４】本考案の適用される新しい栗の植設技術を示す模式図。
【図５】本考案の適用される新しい栗の植設状態と生育状態を示す写真（ａ）及び（ａ）の成長した状態を示す写真（ｂ）。
【図６】従来の栗の植設状態を示す写真。
【考案を実施するための形態】
【００１４】  以下、本考案の透水性除草シートの実施の形態を図面を参照して詳述する。
【実施例１】
【００１５】  図１（ａ），（ｂ）に示すように、本考案の透水性除草シート１００は、端縁の縦巾（ｍ）及び横巾（ｍ，横巾は縦巾と異なっているものでもよい）の厚みｔの正方形の平板のシート材１からなる。なお、ｍの値としては７５ｃｍ乃至１００ｃｍ位のものが適用されるが、勿論これに限定するものではない。また、厚みｔは例えば、０．３ｍｍの薄厚のものからなる。【００１６】  このシート材１の材質としては特に限定するものではなく、ポリエステル，ポリプロピレン，ポリエチレン等の公知の除草シートが適用される。勿論生分解生樹脂シートであってもよい。また、特性としては透水生を有する除草シートであることが望ましい。一例としては日本農業システムにおいて紹介されている除草シートが挙げられるが、勿論これに限定するものではない。【００１７】  このシート材１は図１（ａ）に示すように、そのほぼ中央に直径Ｄの貫通孔２が形成されると共にシート材１の１つの端縁と貫通孔２との間にはスリット部３が形成される。【００１８】  この透水性除草シート１００の適用される栗植設地としては、本考案の出願人が権利取得している方法が適用される場所に採用されるものであり、その栗植設地としては図５（ａ），（ｂ）に示されており、その結果母枝更新化方法としては図４に示されている。念のために権利取得している特許としては、特許登録番号として第４６６５２２０号，第４８７３３９２号，第４９５３１１０号が挙げられる。【００１９】  以上の特許権を有している栗の更新化方法によると栗の樹木の根元の直径は従来のものより小径に保持され、成長時においても５０ｍｍ乃至６０ｍｍ程度のものからなるため、前記の貫通孔２の直径は６０ｍｍ程度のものであればよい。また、スリット部３はこの透水性除草シート１００を栗の樹木の根元に嵌め込む場合必要のものであり、適当な巾の割れ目であればよい。また、透水性除草シート１００の厚みは０．３ｍｍ程度のものが一般に採用されている。【００２０】  図２及び図３は本考案の透水性除草シート１００を栗の樹木４の根元に敷設した状態を示すものである。
図２及び図３に示すように、複数本の栗の樹木４は土壌５に間隔ｇ及びｈだけの所定間隔を介して植設されている。１つの実施例としてはｇは約４ｍでありｈは３ｍであるが勿論これに限定するものではない。【００２１】  本考案の透水性除草シート１００は栗の樹木４が苗木の段階において土壌５上に載置される。前記苗木が成長し、例えば、図２に示すような成長期においては、透水性除草シート１００は栗の樹木４の根元に嵌り込んだ状態で保持される。即ち、透水性除草シート１００の貫通孔２は栗の樹木４が成長した場合においてその根元と干渉しない寸法のものからなり、前記のようにこの直径は約６０ｍｍ程度であり、この大きさがあれば根元と干渉しないことが実証されている。【００２２】  図３は土壌５上に配設されて複数枚の透水性除草シート１００を示すものであり、透水性除草シート１００の大きさが例えば、ｍ＝１００ｍｍでｇ＝４ｍ，ｈ＝３ｍの場合には隣接する透水性除草シート１００間の空スペースの寸法ｊ及び寸法ｋは４ｍ−１００ｍｍ＝３．９ｍ及び３ｍ−１００ｍｍ＝２．９ｍとなる。雑草６は土壌５に成長するが、雑草６の繁茂するのは前記の寸法ｊと寸法ｋの部分であり、透水性除草シート１００の敷設されている部分には雑草６は発生しない。【００２３】  以上の状態に雑草６は繁茂するため雑草６の除草は寸法ｊと寸法ｋの部分のみでよく、栗の樹木４の根元の部分は除草を必要としない。よって、例えば芝刈機は寸法ｊと寸法ｋとの部分の雑草６を除草すればよく、除草作業が極めて容易に行われる。よって、非熟練者や年寄りでも除草を簡単に効率的に行うことが出来る。【００２４】  透水性除草シート１００は素材としては既製品でよく、安価に入手することが出来、かつ貫通孔２やスリット部３の加工は容易に出来、商品としての価格は極めて安価であり、栗生産者においても低コストで実施出来るものとなる。【００２５】  本考案は、以上の説明の内容からなるが、本考案は前記の内容に限定するものではなく、同一技術的範疇のものが適用されることは勿論である。
【産業上の利用可能性】
【００２６】  本考案は、栗の生産者を行う栗植設地のすべてにおいて利用可能であると共に、雑草を嫌うその他の樹木等に対しても適用可能であり、その利用範囲は極めて広い。
【符号の説明】
【００２７】  １      シート材
２      貫通孔
３      スリット部
４      栗の樹木
５      土壌
６      雑草
１００  透水性除草シート
【図１】
0003181872.tif 000003
【図２】
0003181872.tif 000004
【図３】
0003181872.tif 000005
【図４】
0003181872.tif 000006
【図５】
0003181872.tif 000007
【図６】
0003181872.tif 000008
【手続補正書】
【提出日】平成24年12月4日(2012.12.4)
【手続補正１】
【補正対象書類名】実用新案登録請求の範囲
【補正対象項目名】請求項３
【補正方法】変更
【補正の内容】
【請求項３】
前記間隔が３ｍ乃至４ｍの場合において、前記シート材は７５ｃｍ×７５ｃｍ乃至１００ｃｍ×１００ｃｍの大きさのものからなることを特徴とする請求項２に記載の透水性除草シート。